(57)【要約】【課題】  本発明は、少量の発光液を循環させて従来の液量と同等の輝度を発揮し、さらに発光液が流動的な光を発し、より幻想的な演出効果を得ることができる発光液循環装置を提供することを目的とするものである。【解決手段】  本発明は、ガラス材６が充填される液体循環容器５に送液管７および吸液管８が連通される発光部２と、発光循環液収納タンク１５に循環用ポンプ１６を介して前記送液管７および吸液管９に接続される循環部３と、前記循環される液体の光量を検知し、液体循環容器５内への流量を制御する循環用ポンプ制御部４とか構成される。【選択図】        図１
2006164550.tif 000002
【特許請求の範囲】
【請求項１】
ガラス材が充填される液体循環容器に送液管および吸液管が連通される発光部と、
発光循環液収納タンクに循環用ポンプを介して前記送液管および吸液管に接続される循環部と、前記循環される液体の光量を検知し、液体循環容器内への流量及びポンプの反転を制御する循環用ポンプ制御部を備える
ことを特徴とする発光液循環装置。
【請求項２】
発光循環液収納タンクは、
そのねじ式開口部に覆着されるフィルムによって密閉状に覆着される発光原液または発光反応液が充填される容器本体と、
前記ねじ式開口部に対して、回転させながら螺着させることにより、フィルムがねじ式開口部の開口端に沿って切り裂くことができる突起が、その周縁に設けられる受け口とから構成される
ことを特徴とする請求項１記載の発光液循環装置。
【請求項３】
前記送液管に排出バルブを設け、使用後には循環用ポンプによって液体を排出する機構とすることを特徴とする請求項１または２記載の発光液循環装置。
【発明の詳細な説明】
【技術分野】
【０００１】
本発明は、発光液循環装置に関する。詳しくは結婚式の披露宴、パーティー、ショーその他のセレモニーなどにおいて演出機材として使用する発光液循環装置に係るものである。
【背景技術】
【０００２】
結婚式の披露宴や各種パーティーなどにおいては、幻想的な雰囲気を醸成するため、化学発光反応によって特有の光を発する容器として、例えば図６に示すものがある。この容器は、透光性部材で形成された容器１０１の内部に、容器全体に透過する角度を有した湾曲形状の隔壁面１０２を一体成型で設けることによって形成される容積部分１０３に液体を注入することにより、一般的な容器に液体を満たしたのと同等の色彩、または発光が認識し得る構成とされる（特許文献１参照。）。
【０００３】
また、結婚式の披露宴、パーティー、ショーその他のセレモニーなどの演出機材として、例えば図７に示す発光装置がある。この発光装置１０４は、複数の貫通孔が配列された多孔板と、貫通孔を通して多孔板の表面に文字１０５または図形１０６を表示するように配管された透明な発光液送給管１０７と、発光液送給管１０７内に化学発光液を圧送する送液手段１０８とから構成される（特許文献２参照。）。
【０００４】
【特許文献１】特開２００１−１８０７６０号公報（発明の実施の形態、第１図）
【０００５】
【特許文献２】特開２００２−２６０４１８号公報（要約書、第１図）
【発明の開示】
【発明が解決しようとする課題】
【０００６】
しかしながら特許文献１における発明では、発光液の量を減らすことはできるが、光自体は単調でありしかも容器にガラス球等入れて液量を減らす等行えば液が分離したままに成り発光せず、容器単体では目立った効果を得ることは難しく、結婚式の披露宴などのテーブルごとに飾ることができなかった。
【０００７】
また、特許文献２における発明では、高圧ガスによる液体の圧送が行われるものであるが、これも一つ一つの装置にそれぞれ一本ずつの高圧ガスボンベは必要となり、装置自体の重量が重く運搬や施工作業に負担が大きい問題がある。さらに、液体を圧送するのみであり、発光液の量を少なくし液を循環するためのものではない。
【０００８】
本発明は、以上の点に鑑みて創案されたものであって、少量の発光液を循環させて従来の液量と同等の輝度を発揮し、さらに発光液が流動的な光を発し、より幻想的な演出効果を得ることができる発光液循環装置を提供することを目的とするものである。
【課題を解決するための手段】
【０００９】
上記の目的を達成するために、本発明に係る発光液循環装置は、ガラス材が充填される液体循環容器に送液管および吸液管が連通される発光部と、発光循環液収納タンクに循環用ポンプを介して前記送液管および吸液管に接続される循環部と、前記循環される液体の光量を検知し、液体循環容器内への流量及びポンプの反転を制御する循環用ポンプ制御部を備える。
【００１０】
ここで、発光液をガラス材が充填される液体循環容器内に散布し、この液体循環容器底に下り溜まった発光液を循環させることにより、少ない液量で従来の液量と同等の輝度を発揮し、かつ発光液が流動的な光を発し、幻想的な演出効果を得るものである。
【００１１】
また、前記液体循環容器とは、コップや花瓶のような容器、あるいはこれらに該当しない多種多様なデザインの容器であり、発光液などの有機溶剤に影響を受けにくい、透光性を有するポリプロピレンなどの合成樹脂材、あるいは半透光性を有するガラス、例えばすりガラスなどで形成されるものである。
【００１２】
また、発光循環液収納タンクとは、発光液などの有機溶剤に影響を受け難く、透光性を有するポリプロピレンなどの合成樹脂材により形成される密閉容器であり、この発光循環液収納タンクは発光原液と発光反応液と別個に収納される２個の収納タンクから構成される場合と、予め液体循環容器内に発光原液を散布している場合においては発光反応液のみの発光循環液収納タンクから構成される。
【００１３】
また、発光循環液収納タンクのねじ式開口部に覆着されるフィルムは、例えばポリエチレンビニールやアルミビニールフィルムなど発光液などの有機溶剤に影響を受け難く、かつ、受け口の周縁に突設される突起によって切り裂くことができる素材であればいかなる素材のフィルムであっても構わない。
【００１４】
また、循環用ポンプとは、液体を吸い込み加圧し送り出すものであり、電動のギヤポンプなどの比較的に小型で作動音の小さいものを使用するのが望ましい。
【００１５】
また、循環用ポンプ制御部とは、送液管に取り付けられる光センサー、あるいは磁気センサーなどの光量検出センサーと、センサー制御回路とリードスイッチ、遠隔制御等からより構成され、送液管に流れる発光液体の循環によって発生する泡の状態を光量検出センサーによって検知し、センサー制御回路によって循環用ポンプのＯＮ・ＯＦＦ又は反転制御を行う構成とするものである。
【００１６】
なお、吸液管に設けられるフィルターとは、液体中にある細かい屑をろ過するものであり、循環用ポンプの詰りを防止するために設けてある。
【発明の効果】
【００１７】
以上説明したように本発明では、液体循環容器内にガラス材を装填し、少量の発光液を循環させながら液体循環容器上部より散布することにより、ガラス材や液体循環容器内面を伝わり流動的な光の動きを見せ、ガラス材の形状を浮かび上がらせることができ、従来の液量と同等の輝度と、より幻想的な演出効果を得ることができる。
【００１８】
また、液体循環容器、循環用ポンプ、送液管、吸液管および発光循環液収納タンクのみで液体を循環させ排出口をポンプの先に取り付け排出させるため、液体が外部にこぼれる・漏れるといった事故が起こりにくく、かつ小型化が容易である。
【発明を実施するための最良の形態】
【００１９】
以下、本発明の実施の形態を図面を参酌しながら説明し、本発明の理解に供する。
図１に、本発明を適用した発光液循環装置の一例を示すための全体説明図、図２に、本発明を適用した液体循環容器の拡大説明図、図３に、本発明を適用した発光循環液収納タンクの分解説明図を示す。
【００２０】
ここで示す発光液循環装置１は、発光部２と循環部３と循環用ポンプ制御部４とから構成される。
【００２１】
前記発光部２は、発光液などの有機溶剤に影響を受けにくい、透光性を有するポリプロピレンなどの合成樹脂、あるいは透光性を有するガラスにより形成される液体循環容器５と、この液体循環容器５内に充填されるガラス材６と、液体循環容器５内へ連通状に接続される送液管７および吸液管８とから構成されるものである。
【００２２】
そこで図２に示すように、本実施例では液体循環容器５の形状を上端開口部９が直径３センチ、底面１０の直径が６センチであり、側面が内側に弓形状に形成される円錐台の一輪挿し形状とし、液体循環容器５の底面１０に前記送液管７および吸液管８を挿し通すための挿通穴１１をそれぞれ設け、これらの挿通穴１１に送液管７は液体循環容器５の上部まで延ばし、発光液が容器全体に散布できるように、その送液口１２を下方に向けて設置するとともに、吸引管８は液体循環容器５底部に溜まった液体を吸出しやすいように、底面ぎりぎりに吸液口１３が位置するように設置する。このようにすることにより、液体循環容器５底に溜まる発光液を残すことなく排出することが可能となる。
【００２３】
なお、図３（イ）（ロ）に示すように、送液管７の先端を下方に曲げずに上向きとした送液口１２に半球面形状とした拡散板３０を設けることにより、送液口１２から噴出される液体は拡散板３０によって周囲に均一に拡散することが可能となる。さらに吸引管８の吸液口１３にフィルター１４を設けても構わない。
【００２４】
また、前記ガラス材６は発光液などの有機溶剤に影響を受けにくい、透光性を有するポリプロピレンなどの合成樹脂、あるいは透光性を有するガラスにより形成されたものを用いる。さらに、大きさとしては、液体循環容器５の上端開口部９より充填できる大きさであればよく、従って小さければ小さいほど発光液量が少なくて済むものであるが、あまり小さすぎると、吸引管８やフィルター１４の詰まりの原因となるため、状況に応じた大きさとすることが望ましい。
【００２５】
前記循環部３は、発光原液または発光反応液がそれぞれ密閉される発光循環液収納タンク１５と循環用ポンプ１６、送液シリコンホース１７および吸液シリコンホース１８とから構成されるものである。
【００２６】
ここで、吸引管８と循環用ポンプ１６との間にそれぞれの発光循環液収納タンク１５、１５が吸液シリコンホース１８によって連通状に接続されるものであり、吸液シリコンホース１８に一端はフィルター１４を介して吸引管８に接続され、吸液シリコンホース１８の他端は、循環用ポンプ１６に接続され、さらに循環用ポンプ１６と送液管７との間を送液シリコンホース１７によって連通状に接続された構成とする。
【００２７】
また、図３（イ）（ロ）（ハ）に示すように発光循環液収納タンク１５は、発光原液または発光反応液が充填される容器本体１９のねじ式開口部２０の開口端が薄いポリエチレンビニールより形成されるフィルムＣによって密閉状に覆着されている。この容器本体１９のねじ式開口部２０が下となるようにして受け口２１に回転させながら螺着させることにより、受け口２１内の周縁に突設される突起２２によってフィルムＣがねじ式開口部２０の開口端に沿って切り裂けられ、受け口２１内に発光原液または発光反応液が排出されることになる。
【００２８】
そこで受け口２１には吸入口２３および排出口２４が開口され、これらの吸入口２３および排出口２４に吸液シリコンホース１８が連通状となるように接続される。したがって容器本体１９に充填される発光原液または発光反応液が循環用ポンプ１６による吸引によって吸引されて液体循環容器５内へ送り込まれることとなる。
【００２９】
また、循環用ポンプ制御部４は、送液シリコンホース１７に装着される光量検出センサー２５と、この光量検出センサー２５による信号情報を受信し、リードスイッチ２６や遠隔装置によるＯＮ・ＯＦＦ制御によって循環用ポンプ１６の駆動制御を行うセンサー制御回路部２７より構成されるものである。
【００３０】
ここで、光量検出センサー２５は循環用ポンプ制御部４による遠隔制御によって発光循環液収納タンク１５内の発光原液または発光反応液を循環用ポンプ１６で吸い上げて液体循環容器５に送り込むものであり、この際に発光循環液収納タンク１５内の発光原液または発光反応液が無くなり、送液シリコンホース１７内に泡が発生する。この泡をフォトトランジスターなどによる光量検出センサー２５によって感知し、循環用ポンプ１６を制御する。
【００３１】
また、循環用ポンプ制御部４には赤外線、あるいは無線による受信部が設けられ、無線あるいは赤外線によって循環用ポンプ制御部４を作動することができる構成とするものである。なお、図中３１は赤外線遠隔操作による受光部を示す。
【００３２】
循環用ポンプ１６の制御方法は、発光循環液収納タンク１５内の液体を一気に送り、液体が無くなると間欠動作又はタイマーによる制御（外部より空気を送りブクブクを出す）や低速液送（循環）に変わる構成とする。
【００３３】
また、送液シリコンホース１７には排出バルブ２８に外部排出ホース２９を設け、使用後には循環用ポンプ１６によって液体を排出できる構成とするものである。
【００３４】
このようにして循環用ポンプ１６によってそれぞれの発光循環液収納タンク１５に充填される発光原液Ａおよび発光反応液Ｂは吸引されて送液シリコンホース１７および送液管７を通して液体循環容器５上部よりガラス材６に混合された状態で散布される。したがって発光原液Ａと発光反応液Ｂが反応しながらガラス材６表面を覆いながら液体循環容器５底への流下することにより、ガラス材６自体が発光しているように見え、液体循環容器の形状が浮かび上がり、幻想的な演出効果を得ることが可能となる。
【００３５】
そして液体循環容器５底部に下り溜まった発光液は、吸引管８および吸液シリコンホース１８並びに発光循環液収納タンク１５を通して循環用ポンプ１６により吸引されながら液体循環容器５へ送り込まれ、再び液体循環容器５上部よりガラス材６に混合された状態で散布される。
【００３６】
次に図４に示すのは、本発明を適用した発光液循環装置の他の例を示すための全体説明図であり、発光循環液収納タンク１５を１個とし、この発光循環液収納タンク１５に発光反応液Ｂを充填し、液体循環容器５内に発光原液Ａをガラス材６全体に散布しておく。そして循環用ポンプ１６により発光循環液収納タンク１５内の発光反応液Ｂが吸引されて液体循環容器５内へ送り込まれた際に、ガラス材６や液体循環容器５内面に付着した発光原液Ａが発光反応液Ｂと反応して発光を始め、これらの発光原液Ａが発光反応液Ｂとが混合された状態での循環が行われることになる。
【００３７】
また、図５に示すように、液体循環容器５内へ接続される送液管７および吸引管８を、透光性を有するポリプロピレンなどの合成樹脂、あるいは透光性を有するガラスにより形成することによって、例えば図中に示すようにハート形状となるように接続した場合には、送液管７および吸引管８内を通る発光液によってハート形状に発光することになり、これ以外にいろいろな形状に折り曲げることに、より一層の演出効果を得ることが可能となる。
【００３８】
なお、循環用ポンプから発光循環液収納タンクへ循環される発光液を、透明性、あるいは半透明性を有する単体のホースによって接続し、このホースを例えばハート形状など好みの形状の輪郭に折り曲げて発光液を循環させ、より一層の演出効果を得ることもできる。
【００３９】
以上のように本発明の発光液循環装置１では、リードスイッチや遠隔制御で受けた信号により、循環用ポンプ１６を動作させ、発光循環液収納タンク１５より発光原液Ａおよび発光反応液Ｂを吸引するとともに、加圧した発光原液Ａおよび発光反応液Ｂが混合され、発光反応しながら液体循環容器５内へ送液される。すると、液体循環容器５上部より散布された発光液が液体循環容器５内のガラス材６に付着しながら流れ落ちるため、ガラス材自体が発光しているように見え、さらに流下して液体循環容器５底部に溜まった発光液は再び吸引されて液体循環容器５内へ送液されるために少ない発光液で演出効果を持続することが可能となる。また液体循環容器５底部に溜まった発光液は外気と共に再び吸引され７送液官を通る、その時泡を含んだ還流発光液が光量検出センサー２５により感知されポンプを制御する。
【図面の簡単な説明】
【００４０】
【図１】本発明を適用した発光液循環装置の一例を示すための全体説明図である。
【図２】本発明を適用した液体循環容器の拡大説明図である。
【図３】本発明を適用した液体循環容器の他の例を示すための拡大説明図である。
【図４】本発明を適用した発光循環液収納タンクの分解説明図である。
【図５】本発明を適用した発光液循環装置の他の例を示すための全体説明図である。
【図６】本発明を適用した発光部の他の例を示すための説明図である。
【図７】従来の発光手段を備えた容器の一例を示す説明図である。
【図８】従来の発光装置の一例を示す説明図である。
【符号の説明】
【００４１】
Ｃ      フィルム
１      発光液循環装置
２      発光部
３      循環部
４      循環用ポンプ制御部
５      液体循環容器
６      ガラス材
７      送液管
８      吸液管
９      上端開口部
１０    底面
１１    挿通穴
１２    送液口
１３    吸液口
１４    フィルター
１５    発光循環液収納タンク
１６    循環用ポンプ
１７    送液シリコンホース
１８    吸液シリコンホース
１９    容器本体
２０    ねじ式開口部
２１    受け口
２２    突起
２３    吸入口
２４    排出口
２５    流量検出センサー
２６    リードスイッチ
２７    センサー制御回路部
２８    排出バルブ
２９    外部排出ホース
３０    拡散板
３１    受光部
【図１】
2006164550.tif 000003
【図２】
2006164550.tif 000004
【図３】
2006164550.tif 000005
【図４】
2006164550.tif 000006
【図５】
2006164550.tif 000007
【図６】
2006164550.tif 000008
【図７】
2006164550.tif 000009
【図８】
2006164550.tif 000010